(57)【要約】      （修正有）【課題】薄型のカメラのシャッター装置を提供する。【解決手段】カメラ用シャッター装置は、上板１０、下板２０、駆動部品３６、駆動アーム４４、周縁部５２、第１のシャッター板５６、および第２のシャッター板５８を有する。第１のシャッター板５６と第２のシャッター板５８は、駆動部品３６により駆動され、第１の位置と第２の位置の間を移動し、周縁部５２の孔を露光、あるいは遮光することができる。これにより、カメラのシャッター装置の厚みを薄くすることができる【選択図】図１
0003145876.tif 000002
【実用新案登録請求の範囲】
【請求項１】
軸接合部を有する上板と、
前記上板と接合し、底面に凹部、軸接合部、および凹部の底面から延伸した回転軸を有し、前記凹部は駆動空間を形成し、前記軸接合部と前記回転軸とがいずれも前記駆動空間の中に位置している下板と、
回転軸を有し、前記回転軸の両端は前記上板の前記軸接合部、および前記下板の前記軸接合部に回転可能に接合されたローターから構成された駆動部品と、
前記ローターの前記回転軸に回転可能に接合され、第１の駆動ピンおよび第２の駆動ピンを有し、前記第１の駆動ピンおよび前記第２の駆動ピンは、それぞれ前記駆動空間の中へ延伸している駆動アームと、
孔を有し、前記孔は前記凹部に位置している周縁部と、
第１の孔を有し、前記第１の孔を前記下板の軸部が貫いている第１のシャッター板と、
第２の孔を有し、前記第２の孔を駆動アームの第１の駆動ピンが貫いている第２のシャッター板と、
を備え、
前記第１のシャッター板と前記第２のシャッター板とは、前記駆動部品により駆動され、第１の位置と第２の位置との間を移動し、前記周縁部の前記孔を露光、あるいは遮光することを特徴とするカメラのシャッター装置。
【請求項２】
厚みが前記上板の頂面から前記下板の前記軸接合部の底面までの長さにほぼ等しいことを特徴とする請求項１に記載のカメラのシャッター装置。
【請求項３】
前記第２のシャッター板の前記第１の孔と前記第２の孔との間には凹欠部が有り、前記下板の前記軸接合部が前記凹欠部の中に位置することを特徴とする請求項１に記載のカメラのシャッター装置。
【請求項４】
前記下板の下方に支持板を有し、前記支持板の底面と前記下板の軸接合部の底面が、同じ高さに位置することを特徴とする請求項１に記載のカメラのシャッター装置。
【考案の詳細な説明】
【技術分野】
【０００１】
本考案はカメラに関し、詳細には、カメラのシャッター装置に関する。
【背景技術】
【０００２】
従来のカメラのシャッター装置は、図４および図５に示すように、上板６０、下板６２、および下板６２の下方に設けられ、中央に露光用の孔６６を有する周縁部６４を有する。
【０００３】
第１のシャッター板６８と第２のシャッター板７０とは周縁部６４の下方に位置し、周縁部６４の孔６６を露光、遮光する。
【０００４】
上板６０と下板６２との間にはコイル７６、ストッパー７８、およびローター８０を含む駆動部品７４を有し、通電後にローター８０が一定の角度で回転する。
【０００５】
上板６０の軸接合部６０１、下板６２の軸接合部６０２には、ローター８０に通された回転軸８２が回転可能に接合されている。
【０００６】
上板６０の上方と下板６２の下方にはそれぞれ支持板８４が設けられ、下方の支持板８４と下板６２との間には駆動空間８６を有し、周縁部６４、第１のシャッター板６８および第２のシャッター板７０は駆動空間８６内に位置する。
【０００７】
回転軸８２には駆動アーム８８が固定され、駆動アーム８８の一端は回転軸８２に固定され、もう一端は駆動ピン９０を有し、駆動ピン９０は下板６２を突き抜け、駆動空間８６内へ延伸している。
【０００８】
回転軸８２の下端は、軸部８２１を有し、下板６２の軸接合部６０２へ延伸し、同様に駆動空間８６内に位置している。
【０００９】
第１のシャッター板６８は、回転軸６８１と駆動孔６８２とを有する。第２のシャッター板７０は、回転軸７０１と駆動孔７０２を有する。
【００１０】
第１のシャッター板６８の回転軸６８１は下板６２下方の軸部９２に回転可能に接合され、第２のシャッター板７０の回転軸７０１は回転軸８２の軸部８２１に回転可能に接合される。
【００１１】
駆動アーム８８の駆動ピン９０は、第１のシャッター板６８の駆動孔６８２、および第２のシャッター板７０の駆動孔７０２を突き抜けている。
【００１２】
上記の構造により、駆動部品７４が駆動したとき、第１のシャッター板６８と第２のシャッター板７０とは、駆動アーム８８の駆動ピン９０の動きを受けて動き、周縁部６４の孔６６を遮蔽、あるいは露光する。
【００１３】
しかし、現在ではカメラ本体の設計の薄型化が進んでおり、このようなシャッター装置では薄型化の需要に応えることはできないという問題がある。
【考案の開示】
【考案が解決しようとする課題】
【００１４】
本考案の目的は、厚みの薄い、カメラのシャッター装置を提供することにある。
【課題を解決するための手段】
【００１５】
前記の課題を解決するため、本考案によるカメラ用シャッター装置は、上板、下板、駆動部品、駆動アーム、周縁部、第１のシャッター板、および第２のシャッター板を有する。第１のシャッター板と第２のシャッター板とは、駆動部品により駆動され、第１の位置と第２の位置との間を移動し、周縁部の孔を露光、あるいは遮光することができる。
【考案を実施するための最良の形態】
【００１６】
以下、本考案の実施形態によるカメラのシャッター装置を、図面に基づいて説明する。
（一実施形態）
図１および図２に示すように、本考案の一実施形態によるカメラのシャッター装置は、上板１０、下板２０、駆動部品３６、および駆動アーム４４を含む。
【００１７】
上板１０は、軸接合部１２と収容空間１４を有する。上板１０の底面は凹部１６を有し、軸接合部１２の下方にはローター室１８が設けられる。
【００１８】
下板２０は軸接合部２２と収容空間２４を有する。軸接合部２２の両側には円弧状のガイド溝３０を有する。下板２０の下方は、駆動空間を形成する凹部２６を有する。軸接合部２２と軸部３２とは、凹部２６の底面から抜き出ている。下板２０の上方には、軸接合部２２の上方に設けられた収容空間２８を有する。
【００１９】
上板１０と下板２０とは接合し、上方、下方にそれぞれ支持板３４を有する。上板１０下方の凹部２６は、空間を形成している。下板２０下方の凹部２６は、空間を形成している。上板１０のローター室１８、および下板２０の収容空間２８は、ローターの回転空間を形成している。
【００２０】
駆動部品３６は、コイル３８、ストッパー４０、およびローター４２を含む。コイル３８は、上板１０の収容空間１４、および下板２０の収容空間２４の中に設けられる。ストッパー４０は、上板１０と下板２０の間の凹部１６に設けられ、コイル３８を突き抜け、ローター室１８、および収容空間２８の中へ延伸している。ローター４２は、回転軸４２１を有する。回転軸４２１の両端はそれぞれ、上板１０の軸接合部１２、下板２０の軸接合部２２に回転可能に接合される。駆動部品３６は公知の装置であり、通電後、ローター４２を一定の角度に回転させる。
【００２１】
駆動アーム４４は、中央に軸孔４６を有し、回転軸４２１が軸孔４６を貫いている。駆動アーム４４の両端の下方はそれぞれ、第１の駆動ピン４８および第２の駆動ピン５０を有している。第１の駆動ピン４８および第２の駆動ピン５０は、下板２０の２つのガイド溝３０を貫き、凹部２６の中へ延伸している。
凹部２６の中は、周縁部５２、第１のシャッター板５６、および第２のシャッター板５８を有する。
周縁部５２の中央は孔５４を有し、孔５４は露光に用いられる。
【００２２】
第１のシャッター板５６は、第１の孔５６１と第２の孔５６２を有する。第１の孔５６１を下板２０の軸部３２が貫いている。第２の孔５６２を駆動アーム４４の第１の駆動ピン４８が貫いている。第１のシャッター板５６は、前記の公知のシャッター装置と同様に、軸部３２を中心に回転し、駆動アーム４４を回転させる。第１のシャッター板５６は、図２に示す第１の位置と図３に示す第２の位置との間を移動し、周縁部５２の孔５４を露光、あるいは遮光する。
【００２３】
第２のシャッター板５８は、第１の孔５８１と第２の孔５８２を有する。第１の孔５８１を駆動アーム４４の第１の駆動ピン４８が貫いている。第２の孔５８２を駆動アーム４４の第２の駆動ピン５０が貫いている。第１の孔５８１と第２の孔５８２の間には凹欠部５８３が有り、下板２０の軸接合部２２が凹欠部５８３の中に位置する。第２のシャッター板５８は、駆動アーム４４の上に固定され、回転軸４２１が回転したとき、駆動アーム４４が第２のシャッター板５８を駆動し、図２に示す第１の位置と図３に示す第２の位置との間を移動する。
【００２４】
本実施形態によるカメラのシャッター装置の厚みは、公知のシャッター装置よりも薄い。図１と図４を比較すると、従来のシャッター装置の場合、回転軸８２の下端が延伸して軸接合部６０２を形成し、軸接合部６０２は第２のシャッター板７０の回転中心となる。駆動空間８６の中は、周縁部６４、第１のシャッター板６８、および第２のシャッター板７０を有し、周縁部６４、第１のシャッター板６８、および第２のシャッター板７０は、下板６２の軸接合部６０２の下方に位置する。
【００２５】
本実施形態では、回転軸４２１はシャッター装置の回転中心である必要がないため、凹部２６の高さは下板２０の軸接合部２２の高さと同一でよく、よって本実施形態によるカメラのシャッター装置の厚みは、上板１０の頂面から下板２０の軸接合部２２の底面までの長さにほぼ等しく、シャッター装置の厚みを薄くすることができる。
【図面の簡単な説明】
【００２６】
【図１】本考案の一実施例によるカメラのシャッター装置を示す断面図である。
【図２】本考案の一実施例によるカメラのシャッター装置の正面図であり、２つのシャッター板が第１の位置にあるとき、シャッターの孔が開いている状態を示す。
【図３】本考案の一実施例によるカメラのシャッター装置の正面図であり、２つのシャッター板が第２の位置にあるとき、シャッターの孔が閉じている状態を示す。
【図４】従来のシャッター装置を示す断面図である。
【図５】従来のシャッター装置を示す正面図である。
【符号の説明】
【００２７】
１０：上板、１２：軸接合部、１４：収容空間、１６：凹部、１８：ローター室、２０：下板、２２：軸接合部、２４：収容空間、２６：凹部（駆動空間）、２８：収容空間、３０：ガイド溝、３２：軸部、３４：支持板、３６：駆動部品、３８：コイル、４０：ストッパー、４２：ローター、４２１：回転軸、４４：駆動アーム、４６：軸孔、４８：第１の駆動ピン、５０：第２の駆動ピン、５２：周縁部、５４：孔、５６：第１のシャッター板、５６１：第１の孔、５６２：第２の孔、５８：第２のシャッター板、５８１：第１の孔、５８２：第２の孔、５８３：凹欠部、６０：上板、６０１：軸接合部、６２：下板、６０２：軸接合部、６４：周縁部、６６：孔、６８：第１のシャッター板、６８１：回転軸、６８２：駆動孔、７０：第２のシャッター板、７０１：回転軸、７０２：駆動孔、７４：駆動部品、７６：コイル、７８：ストッパー、８０：ローター、８２：回転軸、８２１：軸部、８４：支持板、８６：駆動空間、８８：駆動アーム、９０：駆動ピン、９２：軸部
【図１】
0003145876.tif 000003
【図２】
0003145876.tif 000004
【図３】
0003145876.tif 000005
【図４】
0003145876.tif 000006
【図５】
0003145876.tif 000007